(57)【要約】【課題】持ち手部分と中蓋部との接続強度を強くすることにある。【解決手段】底部２と、側壁部３と、中蓋部５と、蓋部材４とを備えている。側壁部３は底部２の上方に形成されている。中蓋部５は側壁部３の一部に接続されている。また中蓋部５は、中蓋部５の一部を切り起こし外側に開くように形成され先端が下側になるように折り曲げられた１対の持ち手部６を有している。蓋部材４は、側壁部３の中蓋部５が接続された部分以外の部分に接続されている。【選択図】      図１
2008127073.tif 000002
【特許請求の範囲】
【請求項１】
被運搬物を内部に収容する運搬用箱であって、
底部と、
前記底部の上方に形成された側壁部と、
前記側壁部の一部に接続された中蓋部と、
前記側壁部の前記中蓋部が接続された部分以外の部分に接続された外蓋部と、
を備え、
前記中蓋部は、前記中蓋部の一部を切り起こし外側に開くように形成され先端が下側になるように折り曲げられた１対の持ち手部を有している、
運搬用箱。
【請求項２】
前記底部は矩形状であり、
前記側壁部は、前記底部の各辺から上方に延び、それぞれ対向するように形成された第１及び第２側壁部と、第３及び第４側壁部とを有し、
前記中蓋部は、前記第１側壁部に接続された第１中蓋部と、前記第２側壁部に接続された第２中蓋部とを有し、
前記１対の持ち手部は前記第１中蓋部と前記第２中蓋部とに設けられている、
請求項１に記載の運搬用箱。
【請求項３】
前記外蓋部は、前記第３及び第４側壁部の上端部から内方に向かって互いに近づくように延び、対向する突き合わせ面を有する開閉自在な第１及び第２外蓋部を有する、請求項２に記載の運搬用箱。
【請求項４】
前記第１及び第２外蓋部の突き合わせ面は、前記第１及び第２側壁部の上端部に対して直角であって、前記第１側壁部側の端部が前記持ち手部の一方側に位置し、前記第２側壁部側の端部が前記持ち手部の他方側に位置するように形成されている、
請求項３に記載の運搬用箱。
【請求項５】
前記１対の持ち手部は前記第１及び第２側壁部の上端近傍の中央位置に設けられており、
前記第１及び第２外蓋部の突き合わせ面は、前記第１側壁部側の端部が前記持ち手部の一方側に位置し、前記第２側壁部側の端部が前記持ち手部の他方側に位置するように形成されている、請求項３に記載の運搬用箱。
【請求項６】
前記１対の持ち手部は、運搬者の手が当接可能な先端部が曲線状に形成されている、請求項１から５のいずれかに記載の運搬用箱。
【発明の詳細な説明】
【技術分野】
【０００１】
本発明は、運搬用箱、特に、運搬の際に用いる持ち手部分を備えた運搬用の箱に関する。
【背景技術】
【０００２】
被運搬物、例えば機械の部品や書類などを運搬する際には、運搬用の箱が用いられる場合がある。このような運搬用の箱は、一般的にダンボールで形成されている。そして、この運搬用箱には側部に指を係止可能な孔が設けられており、この孔に指を挿入して運搬することができるようになっている。
【０００３】
また、運搬用の箱には、外蓋部の内側に設けられた中蓋部の一部を切り起こして持ち手部分を設けたものが存在する（例えば特許文献１参照）。この運搬用箱では、切り起こされた持ち手部分に孔が形成されており、この孔に指を挿入して箱を支持し、運搬することができる。
【特許文献１】実用新案登録３１２５６２号
【発明の開示】
【発明が解決しようとする課題】
【０００４】
特許文献１に記載の運搬用箱では、指を挿入する為の孔を形成する必要がある。このために、持ち手部分と中蓋部とが接続している部分の面積が小さくなっている。このために、持ち手部分と中蓋部との接続強度が弱くなっている。
【０００５】
本発明の課題は、持ち手部分と中蓋部との接続強度を強くすることにある。
【課題を解決するための手段】
【０００６】
請求項１に係る運搬用箱は、底部と、側壁部と、中蓋部と、外蓋部とを備えている。側壁部は底部の上方に形成されている。中蓋部は側壁部の一部に接続されている。また中蓋部は、中蓋部の一部を切り起こし外側に開くように形成され先端が下側になるように折り曲げられた１対の持ち手部を有している。外蓋部は、側壁部の中蓋部が接続された部分以外の部分に接続されている。
【０００７】
この運搬用箱では、運搬する際に内部、すなわち底部の上側であって側壁部によって囲まれたスペースに被運搬物が収納される。そして、操作者の手などによって１対の持ち手部の先端が支持され運搬される。
【０００８】
ここでは、持ち手部分に指を挿入させるための孔が設けられていないために１対の持ち手部分と中蓋部とが接続する部分の面積が大きくなり、持ち手部分と側壁部との接続強度が強くなっている。
【０００９】
請求項２に係る運搬用箱は、請求項１に記載の運搬用箱であって、底部は矩形状である。側壁部は、底部の各辺から上方に延び、それぞれ対向するように形成された第１及び第２側壁部と、第３及び第４側壁部とを有している。中蓋部は、第１側壁部に接続された第１中蓋部と、第２側壁部に接続された第２中蓋部とを有している。１対の持ち手部は第１中蓋部と第２中蓋部とに設けられている。
【００１０】
ここでは、１対の持ち手部分が互いに対向する第１中蓋部と第２中蓋部とに設けられているために、運搬用箱を運搬する際に運搬用箱の姿勢が良くなり、運搬しやすくなる。
【００１１】
請求項３に係る運搬用箱は、請求項１または２に記載の運搬用箱であって、外蓋部は、第３及び第４側壁部の上端部から内方に向かって互いに近づくように延び、対向する突き合わせ面を有する開閉自在な第１及び第２外蓋部を有する。
【００１２】
ここでは、第１および第２蓋部によって運搬用箱の内部から被運搬物が飛び出しにくくなる。また突き合わせ面に沿ってテープ部材等を添付することで第１蓋部と第２蓋部とを閉じることができる。
【００１３】
請求項４に係る運搬用箱は、請求項３に記載の運搬用箱であって、第１及び第２外蓋部の突き合わせ面は、第１及び第２側壁部の上端部に対して直角であって、第１側壁部側の端部が持ち手部の一方側に位置し、第２側壁部側の端部が持ち手部の他方側に位置するように形成されている。
【００１４】
ここでは、テープなどを用いて第１及び第２外蓋部を閉じる際に１対の持ち手部分が邪魔になりにくくなる、このためにテープなどを用いて第１及び第２外蓋部を閉じやすくなる。
【００１５】
請求項５に係る運搬用箱は、請求項３に記載の運搬用箱であって、１対の持ち手部は第１及び第２側壁部の上端近傍の中央位置に設けられており、第１及び第２外蓋部の突き合わせ面は、第１側壁部側の端部が持ち手部の一方側に位置し、第２側壁部側の端部が持ち手部の他方側に位置するように形成されている。
【００１６】
ここでは、１対の持ち手部は第１及び第２側壁部の上端近傍の中央位置に設けられているために運搬時に運搬用箱のバランスが良くなる。このために、運搬しやすくなる。なお、この技術的特徴のみを考慮すると持ち手部に指を係止可能な孔を設けていても良い。
【００１７】
請求項６に係る運搬用箱は、請求項１から５のいずれかに記載の運搬用箱であって、１対の持ち手部は、運搬者の手が当接可能な先端部が曲線状に形成されている。
【００１８】
ここでは、先端部を運搬者が持ちやすくなる。
【発明の効果】
【００１９】
本発明では、持ち手部分と中蓋部との接続強度を強くすることができる。
【発明を実施するための最良の形態】
【００２０】
１．構成
図１及び２に本発明の一実施形態に係る運搬用箱１を示す。この運搬用箱１は、内部に被運搬物、例えば電子機器の部品や書類などを入れて運搬可能なものであって、ダンボール紙によって形成されている。また、運搬用箱１は、略直方体状の箱であって、底部２と、側壁部３と、蓋部材４と、中蓋部５とを有している。なお、図１は運搬用箱１の組立てられた後の図であり、図２は本発明に係る運搬用箱１の展開図である。
【００２１】
底部２は、被運搬物の下側に配置される部分であって、矩形状、具体的には長方形状の部分である。また、底部２は、図３に示すように、第１底部２１と、第２底部２２と、第３底部２３と、第４底部２４とを有している。ここで、図３は図１の状態の運搬用箱１の上側（蓋部材４等）を除去して上側から底部２側（下側）を見た図である。第１底部２１は一方向に延びた長方形の板状の部分である。第２底部２２は、組み立てた状態で第１底部２１の上側に第１底部２１に重なるように配置されており、長方形状の板状の部材である。第３底部２３は、第１底部２１とほぼ同じ形状の部分であって、組み立てられた状態では一端側が第１底部２１の端部に接触する。そして、第１底部２１の端部と第３底部２３の端部とを接触させた状態で第１底部２１と第３底部２３との接触部分全体にテープが貼着されている。さらに、第３底部２３の外側の辺（側部３と接続されている側の辺）は第１底部の外側の辺（側部３と接続されている側の辺）に対向するよう設けられている。第４底部２４は、組み立てられた状態で第１底部２１及び第３底部２３の上側に第１底部２１及び第３底部２３に重なるように配置されており、第２底部２２に対向するように配置されている。また第４底部２４は第２底部２２とほぼ同じ形状の部分である。
【００２２】
側壁部３は、底部２から底部２に対して垂直に延びる部分であって、それぞれ対向するように形成された第１側壁部３１及び第２側壁部３２と、第３側壁部３３及び第４側壁部３４とを有している。第１側壁部３１及び第２側壁部３２は、第１底部２１の端部と第３底部２３の端部とを接触させた状態で第１底部２１と第３底部２３との長手方向両端に形成された部分であって、長方形状の板状部分である。また、第１側壁部３１及び第２側壁部３２は、第２底部２２と第４底部２４とにそれぞれ接続されている。第３側壁部３３及び第４側壁部３４は、第１側壁部３１と第２側壁部３２との間に配置されており、第１側壁部３１及び第２側壁部３２とともに略長方形断面の筒状部分を形成している。また、第３側壁部３３及び第４側壁部３４は、第１及び第３底部２１、２３にそれぞれ接続されている部分であって、長方形状の板状部分である。なお、図２に示すように、運搬用箱１を展開した状態で第４側壁部３４には帯状の接着部３５が設けられている。
【００２３】
蓋部材４は、底部２に対向して設けられた部分であって、被運搬物の上側に配置される。また蓋部材４は、図２及び４に示すように、第３側壁部３３及び第４側壁部３４の上端部から内方に向かって互いに近づくように延び、対向する突き合わせ面を有する開閉自在な第１蓋部４１と、第２蓋部４２とを有している。ここで、図４は図１の状態の運搬用箱１の底部２を除去して底部２側（下側）から蓋部材４側（上側）を見た図である。第１蓋部４１は、第４側壁部３４に接続された部分であって、板状の部分である。第１蓋部４１の第４側壁部３４に接続されている側端部の逆側端部は第１側壁３１側が第２側壁部３２側よりも第４側壁部３４に接続されている側端部から離れている。すなわち第１側壁３１側から第２側壁部３２側に徐々に長手方向に直交する方向の幅が減少するように斜めになっている。第２蓋部４２は、第３側壁部３３に接続された部分であって、第１蓋部４１の第４側壁部３４と接続されている側端部の逆側端部と接触可能な端部を有する部分である。なお、第１蓋部４１と第２蓋部４２とが接触する部分にテープを貼着することで運搬用箱１を閉じることができる。
【００２４】
中蓋部５は、図４に記載されているように、第１中蓋部５１と、第２中蓋部５２とを有している。第１中蓋部５１は、第１側壁部３１に接続される部分であって、長方形状の板状部分である。また、運搬用箱１を組み立てた状態（図１の状態）において第１中蓋部５１は蓋部材４の下側に蓋部材４６と接触するように配置された部分である。第２中蓋部５２は、第２側壁部３２に接続された部分であって、第１中蓋部５１とほぼ同じ形状の部分である。また、第２中蓋部５２は、蓋部材４の下側に蓋部材４と接触するように配置されており、第１中蓋部５１に対向して設けられている。
【００２５】
持ち手部分６は、運搬用箱１を運搬する際に運搬者の手と接触する部分であって、中蓋部５の一部を切り興し外側に開くように形成され先端が下側（底面２側）になるように折り曲げられている。具体的には、中蓋部５と側壁部３との接続部分から中蓋部５の側壁部３が配置されている側端部の逆側端部に向かって一部を切り起こし、この切り起こした部分を第１側壁部３１及び第２側壁部３２の近傍に位置するように折り曲げて形成されている。また持ち手部分６は、一方向に延びる部分であって、延びる方向の先端は半円状に形成されている。さらに持ち手部分６は、板状部５の長手方向中央に互いに対向するように配置されており、第１蓋部４１と第２蓋部４２とが互いに接触する部分から所定の距離に設けられている。ここで、所定の距離とは第１蓋部４１と第２蓋部４２とが互いに接触する部分にテープを貼着する際に持ち手部分が妨げにならない距離である。
【００２６】
２．動作
運搬用箱１を用いて被運搬物を運搬する際には、先ず運搬用箱１を組立てる必要がある。運搬用箱１の組立ての際には、先ず第１側壁部３１に接続部３５を接触させ、１対の壁部３１と接触部３５とを互いに接続する。すなわち第１側壁部３１が第２側壁部３２に対して互いに対向するように折り曲げる。そして、第２底部２２及び第４底部２４を側壁部３に対して略直交する方向に折り曲げる。その後、第１及び第３底部２１、２３を第２及び第４底部２２、２４に接触するように側壁部３に対して略直交する方向に折り曲げる。このとき第１底部２１の端部と第３底部２３の端部とは互いに接触しており、第１底部２１の端部と第３底部２３の端部とが互いに接触している部分にテープを貼着させることで第１底部２１と第３底部２３とが連結される。その後、板状部５から持ち手部分を切り起こし、１対の壁部３１の近傍に位置するように折り曲げる。そして、第１中蓋部５１及び第２中蓋部５２を１対の壁部３１に対して略直交する方向に折り曲げ、第１蓋部４１と第２蓋部４２とを第１蓋部４１の端部と第２蓋部４２の端部とが互いに接触するように１対の側壁部３２に対して略直交する方向に折り曲げる。この後第１蓋部４１と第２蓋部４２とが互いに接触している部分にテープを貼着して第１蓋部４１と第２蓋部４２とを連結する。運搬用箱１を運搬する際には、図６に示すように、持ち手部分６の先端の半円形状に形成された部分を下側から支えるように持って運搬する。
【００２７】
ここでは、持ち手部分６と１対の壁部３１との接続部分の面積が大きいために接続部分の強度が強く、破れにくくなっている。また、第１蓋部４１と第２蓋部４２とが互いに接触する部分にテープを貼着する際に持ち手部分が妨げにならないために、テープによって第１蓋部４１と第２蓋部４２とを連結しやすくなっている。そして持ち手部分６が板状部５の長手方向中央に互いに対向するように配置されているために運搬時のバランスが良くなり、運搬しやすくなっている。さらに持ち手部分６を下側から支えるために支持しやすくなっている。また１枚のダンボールシートから運搬用箱１を形成可能なために安価にすることができる。
【００２８】
３．他の実施形態
（ａ）上記実施形態では、第１蓋部４１の端部と第２蓋部４２の端部とは１対の側壁部３２との接続部分に対して斜めに形成されているが、本発明はこれに限られずに、１対の側壁部３２との接続部分に平行に形成されていても良い。この場合、持ち手部分６は、図５に示すように、対向して配置されず、第１蓋部４１の端部と第２蓋部４２の端部との接触部を挟んで配置される。この場合には第１蓋部４１の端部と第２蓋部４２の端部との接触部が１対の側壁部３２との接続部分に平行に形成されているために、テープを貼着しやすくなる。
【００２９】
（ｂ）上記実施形態では、ダンボールによって形成したが、本発明はこれに限られずに、他の紙製部材によって形成しても良い。
【図面の簡単な説明】
【００３０】
【図１】本発明の一実施形態に係る運搬用箱の全体斜視図。
【図２】運搬用箱の全体展開図。
【図３】運搬用箱の底部を表す図。
【図４】運搬用はこの蓋部材を示す図。
【図５】他の実施形態に係る運搬用箱の全体斜視図。
【図６】運搬用箱を運搬する状態を示す図。
【符号の説明】
【００３１】
１  運搬用箱
２  底部
４  蓋部材（外蓋部）
５  中蓋部
６  持ち手部分
３１  １対の壁部
３２  １対の側壁部
【図１】
2008127073.tif 000003
【図２】
2008127073.tif 000004
【図３】
2008127073.tif 000005
【図４】
2008127073.tif 000006
【図５】
2008127073.tif 000007
【図６】
2008127073.tif 000008